(57)【要約】【課題】操作力が軽く、作動不良が生じ難くいブロック玩具を提供する。【解決手段】台座部２０に回転可能に支持されている回転部３０の台座部２０に対向する対向面３４の少なくとも一部が台座部２０に対して離間するようにした。このため、回転部３０が回転する際に、台座部２０との間に摩擦力が生じないので、操作力が軽く、作動不良が生じ難くいブロック玩具を提供することができる。【選択図】図２
2018121970.tif 000002
【特許請求の範囲】
【請求項１】
台座部と、
前記台座部に接続される回転部と、を備え、
前記回転部は、前記台座部に対して回転可能であるとともに、前記台座部に対する対向面の少なくとも一部が前記台座部から離間してなるブロック玩具。
【請求項２】
請求項１に記載のブロック玩具であって、
前記回転部は、前記台座部及び前記回転部の接続方向に沿った線を回転中心として前記台座部に対して回転可能であるブロック玩具。
【請求項３】
請求項２に記載のブロック玩具であって、
前記台座部は前記回転中心に沿って突出する軸部を有し、
前記回転部は前記軸部に係合する係合部を有するとともに、前記係合部の先端部が前記台座部に接触してなるブロック玩具。
【請求項４】
請求項２または請求項３に記載のブロック玩具であって、
前記回転部は、その端部及びその端部近傍が前記台座部から離間してなるブロック玩具。
【請求項５】
請求項４に記載のブロック玩具であって、
前記回転部は、前記端部から前記端部近傍に向かって前記台座部に対して傾斜してなるブロック玩具。
【請求項６】
請求項１ないし請求項５のうちのいずれか１項に記載のブロック玩具であって、
前記回転部は、前記台座部に対して時計回り及び反時計回りに回転可能であるブロック玩具。
【請求項７】
請求項１ないし請求項６のうちのいずれか１項に記載のブロック玩具であって、
前記回転部は、前記台座部に対して離間方向に揺動可能であるブロック玩具。
【請求項８】
請求項１ないし請求項７のうちのいずれか１項に記載のブロック玩具であって、
前記回転部には、前記台座部に対する対向面の少なくとも一部に開口が形成されたブロック玩具。
【請求項９】
請求項１ないし請求項８のうちのいずれか１項に記載のブロック玩具であって、
前記回転部は、本体部と、前記本体部の周面から放射状に複数形成された突出部とを有し、
前記本体部における開口縁は、前記台座部に接触可能であり、
前記突出部における開口縁は、前記台座部から離間してなるブロック玩具。
【請求項１０】
請求項９に記載のブロック玩具であって、
前記回転部は、前記本体部の外縁部が前記台座部上に位置し、前記突出部の先端部が前記台座部上外に位置し得るブロック玩具。
【請求項１１】
請求項９または請求項１０に記載のブロック玩具であって、
前記突出部は、前記台座部とは反対側の平面において、前記先端部近傍から先端部に向かって前記台座部に対して傾斜してなるブロック玩具。
【請求項１２】
請求項１ないし請求項１１のうちのいずれか１項に記載のブロック玩具であって、
前記台座部は、前記回転部とは反対側に設けられた係合凹部を有し、
前記係合凹部は、他のブロック玩具に設けられた係合凸部と係合可能であるブロック玩具。
【請求項１３】
請求項１ないし請求項１２のうちのいずれか１項に記載のブロック玩具であって、
前記回転部は、前記台座部とは反対側に設けられた係合凸部を有し、
前記係合凸部は、他のブロック玩具に設けられた係合凹部と係合可能であるブロック玩具。
【請求項１４】
請求項１３に記載のブロック玩具であって、
前記係合凹部及び前記係合凸部は、互いに対応する形状、寸法であるブロック玩具。
【請求項１５】
請求項１ないし請求項１４のうちのいずれか１項に記載のブロック玩具であって、
前記回転部には、前記台座部とは反対側にマークが設けられているブロック玩具。
【発明の詳細な説明】
【技術分野】
【０００１】
本発明は、ブロック玩具に関する。
【背景技術】
【０００２】
従来、子供がブロック状の複数のピースを組み合わせて動物や乗り物等、種々のものを組み立てて遊ぶブロック玩具が知られている。
そして、近年では、ベースプレートに組み込まれるブロック玩具として、台座部及び歯車を備え、台座部に対して歯車が回転可能なブロック玩具が提案されている。このような台座部及び歯車を備えたブロック玩具においては、台座部に対する歯車の回転抵抗が少なく、作動不良が生じ難くいことが求められている。
このような要望に対して、軸部に磁性体が組み込まれた歯車玩具が提案されている（特許文献１参照）。
【０００３】
特許文献１に記載の歯車玩具では、互いに噛み合う複数の歯車本体と、各歯車本体の回転中心に設けられて歯車本体を回転可能に支持する回転軸部材を有する。回転軸部材は、マグネットで磁着可能な磁性体である磁着可能面に磁着して取り付けられる。
これにより、面状の磁性体に対して回転軸部材を介して磁着させることにより、歯車本体を任意位置に配置できるとされている。
【先行技術文献】
【特許文献】
【０００４】
【特許文献１】特開２０１５−１１０１１９号公報
【発明の概要】
【発明が解決しようとする課題】
【０００５】
しかしながら、特許文献１に記載の歯車玩具においては、磁力によって回転軸部材を面状の磁性体に固定しているので、任意位置に取り付けられる反面、位置保持性に乏しく、また、回転軸部材が傾いて動作が不安定になるという問題がある。
また、回転軸部材の先端を球面にして点接触するようになっているので、傾きやすく、操作力が要求されるという問題がある。
【０００６】
本発明は、上述した事情に鑑みなされたものであり、操作力が軽く、作動不良が生じ難いブロック玩具を提供することを目的とする。
【課題を解決するための手段】
【０００７】
本発明に係るブロック玩具は、台座部と、前記台座部に接続される回転部と、を備え、前記回転部は、前記台座部に対して回転可能であるとともに、前記台座部に対する対向面の少なくとも一部が前記台座部から離間してなることを特徴とする。
【０００８】
また、本発明に係るブロック玩具は、前記回転部は、前記台座部及び前記回転部の接続方向に沿った線を回転中心として前記台座部に対して回転可能であってもよい。
【０００９】
また、本発明に係るブロック玩具は、前記台座部は前記回転中心に沿って突出する軸部を有し、前記回転部は前記軸部に係合する係合部を有するとともに、前記係合部の先端部が前記台座部に接触してもよい。
【００１０】
また、本発明に係るブロック玩具においては、前記回転部は、その端部及びその端部近傍が前記台座部から離間してもよい。
【００１１】
また、本発明に係るブロック玩具においては、前記回転部は、前記端部から前記端部近傍に向かって前記台座部に対して傾斜してもよい。
【００１２】
また、本発明に係るブロック玩具においては、前記回転部は、前記台座部に対して時計回り及び反時計回りに回転可能であってもよい。
【００１３】
また、本発明に係るブロック玩具においては、前記回転部は、前記台座部に対して離間方向に揺動可能であってもよい。
【００１４】
また、本発明に係るブロック玩具においては、前記回転部には、前記台座部に対する対向面の少なくとも一部に開口が形成されてもよい。
【００１５】
また、本発明に係るブロック玩具においては、前記回転部は、本体部と、前記本体部の周面から放射状に複数形成された突出部とを有し、前記本体部における開口縁は、前記台座部に接触可能であり、前記突出部における開口縁は、前記台座部から離間してもよい。
【００１６】
また、本発明に係るブロック玩具においては、前記回転部は、前記本体部の外縁部が前記台座上に位置し、前記突出部の先端部が前記台座上外に位置し得るものであってもよい。
【００１７】
また、本発明に係るブロック玩具においては、前記突出部は、前記台座部とは反対側の平面において、前記先端部近傍から先端部に向かって前記台座部に対して傾斜してもよい。
【００１８】
また、本発明に係るブロック玩具においては、前記台座部は、前記回転部とは反対側に設けられた係合凹部を有し、前記係合凹部は、他のブロック玩具に設けられた係合凸部と係合可能であってもよい。
【００１９】
また、本発明に係るブロック玩具においては、前記回転部は、前記台座部とは反対側に設けられた係合凸部を有し、前記係合凸部は、他のブロック玩具に設けられた係合凹部と係合可能であってもよい。
【００２０】
また、本発明に係るブロック玩具においては、前記係合凹部及び前記係合凸部は、互いに対応する形状、寸法であってもよい。
【００２１】
また、本発明に係るブロック玩具においては、前記回転部には、前記台座部とは反対側にマークが設けられていてもよい。
【発明の効果】
【００２２】
本発明によれば、操作力が軽く、作動不良が生じ難いブロック玩具を提供することができる。
【図面の簡単な説明】
【００２３】
【図１】本発明の実施形態であるブロック玩具を用いたゲームの一例を示す斜視図である。
【図２】本発明の実施形態であるブロック玩具の斜視図である。
【図３】本発明の実施形態であるブロック玩具の平面図である。
【図４】図３中ＩＶ−ＩＶ位置の断面図である。
【図５】（Ａ）は本発明の実施形態であるブロック玩具の回転部を下方から見た底面図であり、（Ｂ）は斜め下方から見た回転部の斜視図である。
【図６】回転部における突出部の先端の形状を示す説明図である。
【図７】本発明の実施形態であるブロック玩具の変形例を示す斜視図である。
【図８】本発明の実施形態であるブロック玩具の変形例を示す断面図である。
【図９】本発明の実施形態であるブロック玩具をベースプレートに取り付けた状態を示す斜視図である。
【図１０】本発明の実施形態であるブロック玩具をベースプレートに対して垂直方向に連結して歯合した状態を示す斜視図である。
【発明を実施するための形態】
【００２４】
［本発明の実施の形態］
図１には、本発明の実施形態のブロック玩具１０を用いた遊園地１００の一例が示されている。この遊園地１００では、ベースプレート１０１に、複数のブロック玩具１０を組み込んで、例えば風車１０２が回ったり、観覧車１０３が回ったりする遊園地が形成される。
【００２５】
図２及び図３に示すように、本発明の実施形態のブロック玩具１０は、ベースプレート１０１に組み付けられる台座部２０と、台座部２０に接続されて回転可能な回転部３０とを有する。なお、以後の説明においては、図２に示すように、回転部３０側を「上」とし、台座部２０側を「下」として説明する。
【００２６】
台座部２０は、立方体の箱状を呈しており、上板２１と、上板２１の周縁部から下方に延びる４個の側壁２２を有しており、下方に向かって開口している。そして、図４に示すように、台座部２０における上板２１の下方で側壁２２の内側には、ベースプレート１０１に設けられている凸部１０４（図４中二点鎖線で表示）や他のブロック玩具に設けられた係合凸部３６（図７参照）と係合可能である係合凹部２３が形成されている。
【００２７】
ベースプレート１０１に取り付ける際には、台座部２０の内側全体を係合凹部２３として、台座部２０の四隅にベースプレート１０１の凸部１０４が接触することにより、ブロック玩具１０をベースプレート１０１に取り付ける。
これにより、ブロック玩具１０はベースプレート１０１に着脱可能に取り付けられる（図９参照）。
また、台座部２０の上板２１中心には、上方に突出する円筒形状をした軸部２４が設けられている。
【００２８】
図２及び図３に示すように、回転部３０は、平面円形の本体部３１と、本体部３１の周面から放射状に複数形成された突出部３２とを有する。隣接する突出部３２の間には、突出部３２が嵌る歯合空間３７が形成される。回転部３０は、台座部２０における平面視の内接円Ｒに対して、本体部３１の外縁部３１１が内側に位置（台座部２０上に位置）し、突出部３２の先端部３２１が外側に位置（台座部２０上の外に位置）し得る。回転部３０の上面における本体部３１の外縁部３１１付近には、マーク３５が設けられている。
【００２９】
図４に示すように、本体部３１は、中央に回転中心線（回転中心）ＣＬを有しており、回転中心線ＣＬに沿って下向きに突出する筒部３３（係合部３３）を有する。筒部３３（係合部３３）は、上端部付近に段部３３１を有しており、全体としてＴ字形状の内部空間を有する。筒部３３（係合部３３）は、台座部２０の上面に設けられている軸部２４に外嵌され、ねじ２５を軸部２４の内部にねじ込むことにより取り付けられる。
【００３０】
このとき、筒部３３（係合部３３）の下端面（先端面）３３２は、台座部２０の上板２１に接触するとともに、段部３３１は、軸部２４の上端面２４１よりも下側に位置する。このため、ねじ２５を締め付けても、ねじ２５は段部３３１に接触しない。また、軸部２４の外周面と、筒部３３（係合部３３）の内周面との間には、下に向かって広がる狭い隙間Ｓが設けられている。
【００３１】
これにより、ねじ２５を軸部２４にねじ込んだ際に、回転部３０は台座部２０に対して時計回り及び反時計回りに回転可能で且つ脱落しないように取り付けられる。
さらに、筒部３３（係合部３３）が隙間Ｓや段部３３１とねじ２５との微小な隙間を動くことで、回転部３０は、台座部２０と対向する対向面３４の少なくとも一部が台座部２０に対して離間した状態を維持したまま、台座部２０に対して離間方向に僅かに揺動可能に支持されることになる。
【００３２】
図６に示すように、回転部３０は、下面すなわち台座部２０に対する対向面３４が、回転中心線ＣＬ側の基端部３４１よりも回転中心線ＣＬ側とは反対側の先端部３４２において台座部２０に対して離間している。すなわち、本体部３１の下面は台座部２０に近接又は接触しており、突出部３２の下面は先端に向かって台座部２０の上面から離れている。ここでは、突出部３２の下面は、先端に向かって直線的に台座部２０の上面から離れるように傾斜（角度θ１）している。
【００３３】
また、突出部３２は、台座部２０とは反対側の平面である上面３２４において、本体部３１側の基端部３２５から本体部３１側とは反対側の先端部３２６に向かって（突出部３２の先端部近傍から先端部に向かって）、台座部２０に対して傾斜（角度θ２）してもよい。これにより、突出部３２の上面３２４は、先端に向かって台座部２０に接近する。
また、角度θ１と角度θ２との関係は、θ１＞θ２であることが好ましい。このような関係を持つように回転部３０を構成しておくことにより、図１０に示すように、ベースプレート１０１に取り付けられているブロック玩具１０に対して、ベースプレート１０１に直交する方向へブロック玩具１０を配置する際に、両ブロック玩具１０の突出部が歯合する領域を確保すると同時に、回転部３０と台座部２０との間に働く摩擦力を発生し難くすることが可能となる。
【００３４】
図４及び図５に示すように、回転部３０には、台座部２０に対する対向面３４の少なくとも一部に開口が形成されている。ここでは、本体部３１の内部において、筒部３３（係合部３３）の外周面と、本体部３１の外縁部３１１に沿って設けられている本体部開口縁３１２との間に、本体開口部３１３が設けられている。また、突出部３２の内部には、突出部３２の外形に沿って下方に設けられている突出部開口縁３２２の内側に、突出部開口部３２３が設けられている。本体部開口縁３１２は、台座部２０の上面に接触可能であり、突出部開口縁３２２は、台座部２０の上面から離間している
【００３５】
次に、本実施形態のブロック玩具１０の変形例について説明する。なお、前述したブロック玩具１０と共通する部位には同じ符号を付して、重複する説明を省略することとする。
図７及び図８に示すように、変形例のブロック玩具１１では、回転部３０における台座部２０とは反対側の上面に係合凸部３６を設けた。この係合凸部３６は、他のブロック玩具に設けられた係合凹部２３と互いに対応する形状、寸法であり、係合可能である。
【００３６】
例えば、ここでは、係合凸部３６は、正六角形の形状をしており、回転部３０の回転中心線ＣＬまわりの本体部３１に設けられている。そして、台座部２０の係合凹部２３には、係合凸部３６と嵌合する形状及び寸法の係合部２７を設けておく。これにより、係合凸部３６が係合部２７に嵌合し、接続することができる。
【００３７】
図９に示すように、ブロック玩具１０、１１は、台座部２０の内部に形成されている係合凹部２３を、ベースプレート１０１の凸部１０４に嵌めることにより、着脱可能に取り付けられる。ブロック玩具１０、１１は、ベースプレート１０１に取り付けられると、隣接するブロック玩具１０、１１の台座部２０の側壁２２同士がほぼ接するかわずかな隙間をもって取り付けられる。
【００３８】
そして、各ブロック玩具１０、１１の回転部３０では、一方の突出部３２が、他方の歯合空間３７に侵入する。これにより、一方のブロック玩具１０、１１が回転すると、他方のブロック玩具１１、１０も回転する。
なお、図１０に示すように、ベースプレート１０１に取り付けられているブロック玩具１０、１１に対して、ベースプレート１０１に直交する方向へブロック玩具１０、１１を配置して、両ブロック玩具１０、１１を歯合させることもできる。この場合には、ベースプレート１０１と直交し、かつ凸部１０４を有する部材、例えば図１に示す壁部材１０５のような部材が必要となる。
【００３９】
図１に示すように、ベースプレート１０１の上に複数のブロック玩具１０、１１を歯合するように配置し、風車１０２や観覧車１０３に設けられているブロック玩具１０、１１を歯合させて遊園地１００を組み立てる。そして、ハンドル１０６を回すと、各ブロック玩具１０、１１の回転部３０が回転して、風車１０２や観覧車１０３を回転させることができる。
【００４０】
以上、説明した本実施形態に係るブロック玩具１０では、台座部２０に回転可能に支持されている回転部３０の台座部２０に対向する対向面３４の少なくとも一部が台座部２０に対して離間するようにした。
このため、回転部３０が回転する際に、台座部２０との間に摩擦力が生じないので、操作力が軽く、作動不良が生じ難くいブロック玩具を提供することができる。
【００４１】
また、本実施形態に係るブロック玩具１０では、回転中心線ＣＬに沿って突出するように台座部２０に設けられている軸部２４に、回転部３０の筒部３３（係合部３３）を入れ子状に係合させることにより、回転部３０を台座部２０に回転可能に取り付ける。このとき、筒部３３（係合部３３）の下端面３３２が台座部２０に接触するようにした。
このため、回転部３０の筒部３３（係合部３３）以外の箇所を、台座部２０から離間させることができる。
【００４２】
また、本実施形態に係るブロック玩具１０では、回転部３０は、回転中心線ＣＬ側の基端部３４１よりも回転中心線ＣＬ側とは反対側の先端部３４２が台座部２０に対して離間している。
このため、回転部３０が回転する際に、台座部２０との間に摩擦力が生じないので、操作力が軽く、作動不良が生じ難くいブロック玩具を提供することができる。
【００４３】
また、本実施形態に係るブロック玩具１０では、回転部３０は、基端部３４１から先端部３４２に向かって（突出部３２の先端部近傍から先端部に向かって）、台座部２０に対して傾斜して離間するようにした。
このため、回転部３０が回転する際に、台座部２０との間に摩擦力が生じないので、操作力が軽く、作動不良が生じ難くいブロック玩具を提供することができる。
【００４４】
また、本実施形態に係るブロック玩具１０では、回転部３０は、台座部２０に対して時計回り及び反時計回りに回転できる。
【００４５】
また、本実施形態に係るブロック玩具１０では、回転部３０は、対向面３４の少なくとも一部が台座部２０に対して離間した状態を維持したまま回転可能である。また、筒部３３（係合部３３）が隙間Ｓや段部３３１とねじ２５との微小な隙間を動くことで、台座部２０に対して離間方向に揺動可能であるので、例えば、幼児のようにブロック玩具を厳密に配置させることが困難な者でも、搖動可能な範囲内で回転部３０を回転させブロック玩具１０による遊戯を楽しむことが可能となる。
【００４６】
また、本実施形態に係るブロック玩具１０では、回転部３０には、台座部２０に対する対向面３４の少なくとも一部に開口が形成されている。
このため、回転部３０の軽量化及び低コスト化を図るとともに、台座部２０との摩擦面を減らして摺動抵抗を小さくすることができる。
【００４７】
また、本実施形態に係るブロック玩具１０では、回転部３０は、本体部３１における本体部開口縁３１２が、台座部２０に接触可能であるので、回転部３０を回転可能に支持することができる。
また、突出部３２における突出部開口縁３２２は、台座部２０から離間しているので、回転時の摺動抵抗を減少することができる。
【００４８】
また、本実施形態に係るブロック玩具１０では、回転部３０は、台座部２０における平面視の内接円Ｒに対して、本体部３１の外縁部３１１が内側に位置（台座部２０上に位置）し、突出部３２の先端部３２１が外側に位置（台座部２０上の外に位置）し得る。
このため、隣接してブロック玩具１０を取り付けた際に、回転部３０同士を歯合させることができる。
【００４９】
また、本実施形態に係るブロック玩具１０では、突出部３２は、台座部２０とは反対側の上面３２４において、本体部３１側の基端部３２５から本体部３１側とは反対側の先端部３２６に向かって（突出部３２の先端部近傍から先端部に向かって）台座部２０に対して傾斜している。
このため、ブロック玩具１０上に他のブロック玩具を積層して接続する際に、摩擦を低減して円滑に歯合することができる。
【００５０】
また、本実施形態に係るブロック玩具１０では、台座部２０は、回転部３０とは反対側に設けられた係合凹部２３を有し、係合凹部２３は、他のブロック玩具１０に設けられた係合凸部３６と係合可能である。
このため、ブロック玩具１０や係合凸部３６に対応する係合凸部を有するその他の形状のブロック玩具を上下方向に積層して接続することができる。
【００５１】
また、本実施形態に係るブロック玩具１１では、回転部３０は、台座部２０とは反対側に、他のブロック玩具１０，１１に設けられた係合凹部２３と係合可能な係合凸部３６を設けた。
このため、ブロック玩具１０、１１や係合凹部２３に対応する係合凹部を有するその他の形状のブロック玩具を積層して接続することができる。
【００５２】
また、本実施形態に係るブロック玩具１０、１１では、係合凹部２３と係合凸部３６は、互いに対応する形状及び寸法である。
このため、ブロック玩具１０、１１を積層して接続することができる。
【００５３】
また、本実施形態に係るブロック玩具１０では、回転部３０には、台座部２０とは反対側にマーク３５が設けられている。
このため、回転部３０が回転している状態を容易に視認することができる。
【００５４】
本発明のブロック玩具１０は、前述した実施形態に限定されるものでなく、適宜な変形，改良等が可能である。
【符号の説明】
【００５５】
１０、１１  ブロック玩具
２０  台座部
２３  係合凹部
２４  軸部
２６  境界面
３０  回転部
３１  本体部
３１１  外縁部
３１２  本体部開口縁（本体部における開口縁）
３２  突出部
３２１  先端部
３２２  突出部開口縁（突出部における開口縁）
３２５  基端部
３２６  先端部
３３  筒部（係合部）
３３２  下端面（先端面）
３４  対向面
３５  マーク
３６  係合凸部
ＣＬ  回転中心線（回転中心）
Ｐ  交点
Ｒ  内接円
【図１】
2018121970.tif 000003
【図２】
2018121970.tif 000004
【図３】
2018121970.tif 000005
【図４】
2018121970.tif 000006
【図５】
2018121970.tif 000007
【図６】
2018121970.tif 000008
【図７】
2018121970.tif 000009
【図８】
2018121970.tif 000010
【図９】
2018121970.tif 000011
【図１０】
2018121970.tif 000012
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
台座部と、
前記台座部に接続される回転部と、を備え、
前記回転部は、前記台座部に対して回転可能であるとともに、前記台座部に対する対向面の少なくとも一部が前記台座部から離間してなるブロック玩具。
【請求項２】
請求項１に記載のブロック玩具であって、
前記回転部は、前記台座部及び前記回転部の接続方向に沿った線を回転中心として前記台座部に対して回転可能であるブロック玩具。
【請求項３】
請求項２に記載のブロック玩具であって、
前記回転部は前記台座部に取り付けられる取付部を有するとともに、前記取付部の前記台座部に対する対向面が前記台座部に接触してなるブロック玩具。
【請求項４】
請求項３に記載のブロック玩具であって、
前記台座部は前記回転中心に沿って突出し、前記取付部が取り付けられる軸部を有し、
前記取付部は前記軸部に係合する係合部を有するとともに、前記係合部の先端部が前記台座部に接触してなるブロック玩具。
【請求項５】
請求項２ないし請求項４のいずれか１項に記載のブロック玩具であって、
前記回転部は、その端部及びその端部近傍が前記台座部から離間してなるブロック玩具。
【請求項６】
請求項５に記載のブロック玩具であって、
前記回転部は、前記端部から前記端部近傍に向かって前記台座部に対して傾斜してなるブロック玩具。
【請求項７】
請求項１ないし請求項６のうちのいずれか１項に記載のブロック玩具であって、
前記回転部は、前記台座部に対して時計回り及び反時計回りに回転可能であるブロック玩具。
【請求項８】
請求項１ないし請求項７のうちのいずれか１項に記載のブロック玩具であって、
前記回転部は、前記台座部に対して離間方向に揺動可能であるブロック玩具。
【請求項９】
請求項１ないし請求項８のうちのいずれか１項に記載のブロック玩具であって、
前記回転部には、前記台座部に対する対向面の少なくとも一部に開口が形成されたブロック玩具。
【請求項１０】
請求項１ないし請求項９のうちのいずれか１項に記載のブロック玩具であって、
前記回転部は、本体部と、前記本体部の周面から放射状に複数形成された突出部とを有するブロック玩具。
【請求項１１】
請求項１０に記載のブロック玩具であって、
前記本体部における前記台座部に対する対向面は、前記台座部に接触可能であり、
前記突出部における前記台座部に対する対向面は、前記台座部から離間してなるブロック玩具。
【請求項１２】
請求項１１に記載のブロック玩具であって、
前記台座部に接触可能な前記本体部における前記台座部に対する対向面は、前記台座部の開口縁であるブロック玩具。
【請求項１３】
請求項１０ないし請求項１２のうちのいずれか１項に記載のブロック玩具であって、
前記突出部の先端部は、前記台座部上外に位置し得るブロック玩具。
【請求項１４】
請求項１０ないし請求項１３のうちのいずれか１項に記載のブロック玩具であって、
前記本体部の外縁部は、前記台座部上に位置するブロック玩具。
【請求項１５】
請求項１０ないし請求項１４に記載のブロック玩具であって、
前記突出部は、前記台座部とは反対側の平面において、前記先端部近傍から先端部に向かって前記台座部に対して傾斜してなるブロック玩具。
【請求項１６】
請求項１ないし請求項１５のうちのいずれか１項に記載のブロック玩具であって、
前記台座部は、前記回転部とは反対側に設けられた係合凹部を有し、
前記係合凹部は、他のブロック玩具に設けられた係合凸部と係合可能であるブロック玩具。
【請求項１７】
請求項１ないし請求項１６のうちのいずれか１項に記載のブロック玩具であって、
前記回転部は、前記台座部とは反対側に設けられた係合凸部を有し、
前記係合凸部は、他のブロック玩具に設けられた係合凹部と係合可能であるブロック玩具。
【請求項１８】
請求項１７に記載のブロック玩具であって、
前記係合凹部及び前記係合凸部は、互いに対応する形状、寸法であるブロック玩具。
【請求項１９】
請求項１ないし請求項１８のうちのいずれか１項に記載のブロック玩具であって、
前記回転部には、前記台座部とは反対側にマークが設けられているブロック玩具。
【手続補正２】
【補正対象書類名】明細書
【補正対象項目名】０００９
【補正方法】変更
【補正の内容】
【０００９】
また、本発明に係るブロック玩具は、前記回転部は前記台座部に取り付けられる取付部を有するとともに、前記取付部の前記台座部に対する対向面が前記台座部に接触してもよい。
また、前記台座部は前記回転中心に沿って突出する軸部を有し、前記取付部は前記軸部に係合する係合部を有するとともに、前記係合部の先端部が前記台座部に接触してもよい。
【手続補正３】
【補正対象書類名】明細書
【補正対象項目名】００１５
【補正方法】変更
【補正の内容】
【００１５】
また、本発明に係るブロック玩具においては、前記回転部は、本体部と、前記本体部の周面から放射状に複数形成された突出部とを有してもよい。
また、前記本体部における前記台座部に対する対向面は、前記台座部に接触可能であり、前記突出部における前記台座部に対する対向面は、前記台座部から離間してもよい。
また、前記台座部に接触可能な前記本体部における前記台座部に対する対向面は、前記台座部の開口縁であってもよい。
【手続補正４】
【補正対象書類名】明細書
【補正対象項目名】００１６
【補正方法】変更
【補正の内容】
【００１６】
また、本発明に係るブロック玩具においては、前記回転部は、前記本体部の外縁部が前記台座上に位置してもよい。
また、前記本体部の外縁部は、前記台座部上に位置してもよい。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
台座部と、
前記台座部に接続される回転部と、を備え、
前記回転部は、前記台座部に対して回転可能であるとともに、前記台座部に対する対向面の少なくとも一部が前記台座部から離間し、
前記台座部は、前記回転部とは反対側に設けられた係合凹部を有し、
前記係合凹部は、他のブロック玩具に設けられた係合凸部と係合可能であるブロック玩具。
【請求項２】
請求項１に記載のブロック玩具であって、
前記回転部は、前記台座部及び前記回転部の接続方向に沿った線を回転中心として前記台座部に対して回転可能であるブロック玩具。
【請求項３】
請求項１または２に記載のブロック玩具であって、
前記回転部は前記台座部に取り付けられる取付部を有するとともに、前記取付部の前記台座部に対する対向面が前記台座部に接触してなるブロック玩具。
【請求項４】
請求項３に記載のブロック玩具であって、
前記台座部は、前記台座部及び前記回転部の接続方向に沿った線である回転中心に沿って突出し、前記取付部が取り付けられる軸部を有し、
前記取付部は前記軸部に係合する係合部を有するとともに、前記係合部の先端部が前記台座部に接触してなるブロック玩具。
【請求項５】
請求項２ないし請求項４のいずれか１項に記載のブロック玩具であって、
前記回転部は、その端部及びその端部近傍が前記台座部から離間してなるブロック玩具。
【請求項６】
請求項５に記載のブロック玩具であって、
前記回転部は、前記端部から前記端部近傍に向かって前記台座部に対して傾斜してなるブロック玩具。
【請求項７】
請求項１ないし請求項６のうちのいずれか１項に記載のブロック玩具であって、
前記回転部は、前記台座部に対して時計回り及び反時計回りに回転可能であるブロック玩具。
【請求項８】
請求項１ないし請求項７のうちのいずれか１項に記載のブロック玩具であって、
前記回転部は、前記台座部に対して離間方向に揺動可能であるブロック玩具。
【請求項９】
請求項１ないし請求項８のうちのいずれか１項に記載のブロック玩具であって、
前記回転部には、前記台座部に対する対向面の少なくとも一部に開口が形成されたブロック玩具。
【請求項１０】
請求項１ないし請求項９のうちのいずれか１項に記載のブロック玩具であって、
前記回転部は、本体部と、前記本体部の周面から放射状に複数形成された突出部とを有するブロック玩具。
【請求項１１】
請求項１０に記載のブロック玩具であって、
前記突出部は、隣接して配置される他のブロック玩具の隣接する突出部間に嵌るように形成され、
前記本体部における前記台座部に対する対向面は、前記台座部に接触可能であり、
前記突出部における前記台座部に対する対向面は、前記台座部から離間してなるブロック玩具。
【請求項１２】
請求項１１に記載のブロック玩具であって、
前記回転部には、前記台座部に対する対向面の少なくとも一部に開口が形成され、
前記台座部に接触可能な前記本体部における前記台座部に対する対向面は、前記開口の縁であるブロック玩具。
【請求項１３】
請求項１０ないし請求項１２のうちのいずれか１項に記載のブロック玩具であって、
前記突出部の先端部は、前記台座部上外に位置し得るブロック玩具。
【請求項１４】
請求項１０ないし請求項１３のうちのいずれか１項に記載のブロック玩具であって、
前記本体部の外縁部は、前記台座部上に位置するブロック玩具。
【請求項１５】
請求項１０ないし請求項１４に記載のブロック玩具であって、
前記突出部は、前記台座部とは反対側の平面において、前記先端部近傍から先端部に向かって前記台座部に対して傾斜してなるブロック玩具。
【請求項１６】
請求項１ないし請求項１５のうちのいずれか１項に記載のブロック玩具であって、
前記回転部は、前記台座部とは反対側に設けられた係合凸部を有し、
前記係合凸部は、他のブロック玩具に設けられた係合凹部と係合可能であるブロック玩具。
【請求項１７】
請求項１６に記載のブロック玩具であって、
前記係合凹部及び前記係合凸部は、互いに対応する形状、寸法であるブロック玩具。
【請求項１８】
請求項１ないし請求項１７のうちのいずれか１項に記載のブロック玩具であって、
前記回転部には、前記台座部とは反対側にマークが設けられているブロック玩具。
【手続補正２】
【補正対象書類名】明細書
【補正対象項目名】全文
【補正方法】変更
【補正の内容】
【発明の詳細な説明】
【技術分野】
【０００１】
本発明は、ブロック玩具に関する。
【背景技術】
【０００２】
従来、子供がブロック状の複数のピースを組み合わせて動物や乗り物等、種々のものを組み立てて遊ぶブロック玩具が知られている。
そして、近年では、ベースプレートに組み込まれるブロック玩具として、台座部及び歯車を備え、台座部に対して歯車が回転可能なブロック玩具が提案されている。このような台座部及び歯車を備えたブロック玩具においては、台座部に対する歯車の回転抵抗が少なく、作動不良が生じ難くいことが求められている。
このような要望に対して、軸部に磁性体が組み込まれた歯車玩具が提案されている（特許文献１参照）。
【０００３】
特許文献１に記載の歯車玩具では、互いに噛み合う複数の歯車本体と、各歯車本体の回転中心に設けられて歯車本体を回転可能に支持する回転軸部材を有する。回転軸部材は、マグネットで磁着可能な磁性体である磁着可能面に磁着して取り付けられる。
これにより、面状の磁性体に対して回転軸部材を介して磁着させることにより、歯車本体を任意位置に配置できるとされている。
【先行技術文献】
【特許文献】
【０００４】
【特許文献１】特開２０１５−１１０１１９号公報
【発明の概要】
【発明が解決しようとする課題】
【０００５】
しかしながら、特許文献１に記載の歯車玩具においては、磁力によって回転軸部材を面状の磁性体に固定しているので、任意位置に取り付けられる反面、位置保持性に乏しく、また、回転軸部材が傾いて動作が不安定になるという問題がある。
また、回転軸部材の先端を球面にして点接触するようになっているので、傾きやすく、操作力が要求されるという問題がある。
【０００６】
本発明は、上述した事情に鑑みなされたものであり、操作力が軽く、作動不良が生じ難いブロック玩具を提供することを目的とする。
【課題を解決するための手段】
【０００７】
本発明に係るブロック玩具は、台座部と、前記台座部に接続される回転部と、を備え、前記回転部は、前記台座部に対して回転可能であるとともに、前記台座部に対する対向面の少なくとも一部が前記台座部から離間してなる。また、本発明に係るブロック玩具は、台座部と、前記台座部に接続される回転部と、を備え、前記回転部は、前記台座部に対して回転可能であるとともに、前記台座部に対する対向面の少なくとも一部が前記台座部から離間し、前記台座部は、前記回転部とは反対側に設けられた係合凹部を有し、前記係合凹部は、他のブロック玩具に設けられた係合凸部と係合可能である。
【０００８】
また、本発明に係るブロック玩具は、前記回転部は、前記台座部及び前記回転部の接続方向に沿った線を回転中心として前記台座部に対して回転可能であってもよい。
【０００９】
また、本発明に係るブロック玩具は、前記回転部は前記台座部に取り付けられる取付部を有するとともに、前記取付部の前記台座部に対する対向面が前記台座部に接触してもよい。
【００１０】
また、前記台座部は、前記台座部及び前記回転部の接続方向に沿った線である回転中心に沿って突出し、前記取付部が取り付けられる軸部を有し、前記取付部は前記軸部に係合する係合部を有するとともに、前記係合部の先端部が前記台座部に接触してもよい。
【００１１】
また、本発明に係るブロック玩具においては、前記回転部は、その端部及びその端部近傍が前記台座部から離間してもよい。
【００１２】
また、本発明に係るブロック玩具においては、前記回転部は、前記端部から前記端部近傍に向かって前記台座部に対して傾斜してもよい。
【００１３】
また、本発明に係るブロック玩具においては、前記回転部は、前記台座部に対して時計回り及び反時計回りに回転可能であってもよい。
【００１４】
また、本発明に係るブロック玩具においては、前記回転部は、前記台座部に対して離間方向に揺動可能であってもよい。
【００１５】
また、本発明に係るブロック玩具においては、前記回転部には、前記台座部に対する対向面の少なくとも一部に開口が形成されてもよい。
【００１６】
また、本発明に係るブロック玩具においては、前記回転部は、本体部と、前記本体部の周面から放射状に複数形成された突出部とを有してもよい。
【００１７】
また、前記突出部は、隣接して配置される他のブロック玩具の隣接する突出部間に嵌るように形成されていてもよい。
【００１８】
また、前記本体部における前記台座部に対する対向面は、前記台座部に接触可能であり、前記突出部における前記台座部に対する対向面は、前記台座部から離間してもよい。
【００１９】
また、前記台座部に接触可能な前記本体部における前記台座部に対する対向面は、前記開口の縁であってもよい。
【００２０】
また、本発明に係るブロック玩具においては、前記回転部は、前記本体部の外縁部が前記台座上に位置してもよい。
【００２１】
また、前記本体部の外縁部は、前記台座部上に位置してもよい。
【００２２】
また、本発明に係るブロック玩具においては、前記突出部は、前記台座部とは反対側の平面において、前記先端部近傍から先端部に向かって前記台座部に対して傾斜してもよい。
【００２３】
また、本発明に係るブロック玩具においては、前記台座部は、前記回転部とは反対側に設けられた係合凹部を有し、前記係合凹部は、他のブロック玩具に設けられた係合凸部と係合可能であってもよい。
【００２４】
また、本発明に係るブロック玩具においては、前記回転部は、前記台座部とは反対側に設けられた係合凸部を有し、前記係合凸部は、他のブロック玩具に設けられた係合凹部と係合可能であってもよい。
【００２５】
また、本発明に係るブロック玩具においては、前記係合凹部及び前記係合凸部は、互いに対応する形状、寸法であってもよい。
【００２６】
また、本発明に係るブロック玩具においては、前記回転部には、前記台座部とは反対側にマークが設けられていてもよい。
【発明の効果】
【００２７】
本発明によれば、操作力が軽く、作動不良が生じ難いブロック玩具を提供することができる。
【図面の簡単な説明】
【００２８】
【図１】本発明の実施形態であるブロック玩具を用いたゲームの一例を示す斜視図である。
【図２】本発明の実施形態であるブロック玩具の斜視図である。
【図３】本発明の実施形態であるブロック玩具の平面図である。
【図４】図３中ＩＶ−ＩＶ位置の断面図である。
【図５】（Ａ）は本発明の実施形態であるブロック玩具の回転部を下方から見た底面図であり、（Ｂ）は斜め下方から見た回転部の斜視図である。
【図６】回転部における突出部の先端の形状を示す説明図である。
【図７】本発明の実施形態であるブロック玩具の変形例を示す斜視図である。
【図８】本発明の実施形態であるブロック玩具の変形例を示す断面図である。
【図９】本発明の実施形態であるブロック玩具をベースプレートに取り付けた状態を示す斜視図である。
【図１０】本発明の実施形態であるブロック玩具をベースプレートに対して垂直方向に連結して歯合した状態を示す斜視図である。
【発明を実施するための形態】
【００２９】
［本発明の実施の形態］
図１には、本発明の実施形態のブロック玩具１０を用いた遊園地１００の一例が示されている。この遊園地１００では、ベースプレート１０１に、複数のブロック玩具１０を組み込んで、例えば風車１０２が回ったり、観覧車１０３が回ったりする遊園地が形成される。
【００３０】
図２及び図３に示すように、本発明の実施形態のブロック玩具１０は、ベースプレート１０１に組み付けられる台座部２０と、台座部２０に接続されて回転可能な回転部３０とを有する。なお、以後の説明においては、図２に示すように、回転部３０側を「上」とし、台座部２０側を「下」として説明する。
【００３１】
台座部２０は、立方体の箱状を呈しており、上板２１と、上板２１の周縁部から下方に延びる４個の側壁２２を有しており、下方に向かって開口している。そして、図４に示すように、台座部２０における上板２１の下方で側壁２２の内側には、ベースプレート１０１に設けられている凸部１０４（図４中二点鎖線で表示）や他のブロック玩具に設けられた係合凸部３６（図７参照）と係合可能である係合凹部２３が形成されている。
【００３２】
ベースプレート１０１に取り付ける際には、台座部２０の内側全体を係合凹部２３として、台座部２０の四隅にベースプレート１０１の凸部１０４が接触することにより、ブロック玩具１０をベースプレート１０１に取り付ける。
これにより、ブロック玩具１０はベースプレート１０１に着脱可能に取り付けられる（図９参照）。
また、台座部２０の上板２１中心には、上方に突出する円筒形状をした軸部２４が設けられている。
【００３３】
図２及び図３に示すように、回転部３０は、平面円形の本体部３１と、本体部３１の周面から放射状に複数形成された突出部３２とを有する。隣接する突出部３２の間には、突出部３２が嵌る歯合空間３７が形成される。回転部３０は、台座部２０における平面視の内接円Ｒに対して、本体部３１の外縁部３１１が内側に位置（台座部２０上に位置）し、突出部３２の先端部３２１が外側に位置（台座部２０上の外に位置）し得る。回転部３０の上面における本体部３１の外縁部３１１付近には、マーク３５が設けられている。
【００３４】
図４に示すように、本体部３１は、中央に回転中心線（回転中心）ＣＬを有しており、回転中心線ＣＬに沿って下向きに突出する筒部３３（係合部３３）を有する。筒部３３（係合部３３）は、上端部付近に段部３３１を有しており、全体としてＴ字形状の内部空間を有する。筒部３３（係合部３３）は、台座部２０の上面に設けられている軸部２４に外嵌され、ねじ２５を軸部２４の内部にねじ込むことにより取り付けられる。
【００３５】
このとき、筒部３３（係合部３３）の下端面（先端面）３３２は、台座部２０の上板２１に接触するとともに、段部３３１は、軸部２４の上端面２４１よりも下側に位置する。このため、ねじ２５を締め付けても、ねじ２５は段部３３１に接触しない。また、軸部２４の外周面と、筒部３３（係合部３３）の内周面との間には、下に向かって広がる狭い隙間Ｓが設けられている。
【００３６】
これにより、ねじ２５を軸部２４にねじ込んだ際に、回転部３０は台座部２０に対して時計回り及び反時計回りに回転可能で且つ脱落しないように取り付けられる。
さらに、筒部３３（係合部３３）が隙間Ｓや段部３３１とねじ２５との微小な隙間を動くことで、回転部３０は、台座部２０と対向する対向面３４の少なくとも一部が台座部２０に対して離間した状態を維持したまま、台座部２０に対して離間方向に僅かに揺動可能に支持されることになる。
【００３７】
図６に示すように、回転部３０は、下面すなわち台座部２０に対する対向面３４が、回転中心線ＣＬ側の基端部３４１よりも回転中心線ＣＬ側とは反対側の先端部３４２において台座部２０に対して離間している。すなわち、本体部３１の下面は台座部２０に近接又は接触しており、突出部３２の下面は先端に向かって台座部２０の上面から離れている。ここでは、突出部３２の下面は、先端に向かって直線的に台座部２０の上面から離れるように傾斜（角度θ１）している。
【００３８】
また、突出部３２は、台座部２０とは反対側の平面である上面３２４において、本体部３１側の基端部３２５から本体部３１側とは反対側の先端部３２６に向かって（突出部３２の先端部近傍から先端部に向かって）、台座部２０に対して傾斜（角度θ２）してもよい。これにより、突出部３２の上面３２４は、先端に向かって台座部２０に接近する。
また、角度θ１と角度θ２との関係は、θ１＞θ２であることが好ましい。このような関係を持つように回転部３０を構成しておくことにより、図１０に示すように、ベースプレート１０１に取り付けられているブロック玩具１０に対して、ベースプレート１０１に直交する方向へブロック玩具１０を配置する際に、両ブロック玩具１０の突出部が歯合する領域を確保すると同時に、回転部３０と台座部２０との間に働く摩擦力を発生し難くすることが可能となる。
【００３９】
図４及び図５に示すように、回転部３０には、台座部２０に対する対向面３４の少なくとも一部に開口が形成されている。ここでは、本体部３１の内部において、筒部３３（係合部３３）の外周面と、本体部３１の外縁部３１１に沿って設けられている本体部開口縁３１２との間に、本体開口部３１３が設けられている。また、突出部３２の内部には、突出部３２の外形に沿って下方に設けられている突出部開口縁３２２の内側に、突出部開口部３２３が設けられている。本体部開口縁３１２は、台座部２０の上面に接触可能であり、突出部開口縁３２２は、台座部２０の上面から離間している
【００４０】
次に、本実施形態のブロック玩具１０の変形例について説明する。なお、前述したブロック玩具１０と共通する部位には同じ符号を付して、重複する説明を省略することとする。
図７及び図８に示すように、変形例のブロック玩具１１では、回転部３０における台座部２０とは反対側の上面に係合凸部３６を設けた。この係合凸部３６は、他のブロック玩具に設けられた係合凹部２３と互いに対応する形状、寸法であり、係合可能である。
【００４１】
例えば、ここでは、係合凸部３６は、正六角形の形状をしており、回転部３０の回転中心線ＣＬまわりの本体部３１に設けられている。そして、台座部２０の係合凹部２３には、係合凸部３６と嵌合する形状及び寸法の係合部２７を設けておく。これにより、係合凸部３６が係合部２７に嵌合し、接続することができる。
【００４２】
図９に示すように、ブロック玩具１０、１１は、台座部２０の内部に形成されている係合凹部２３を、ベースプレート１０１の凸部１０４に嵌めることにより、着脱可能に取り付けられる。ブロック玩具１０、１１は、ベースプレート１０１に取り付けられると、隣接するブロック玩具１０、１１の台座部２０の側壁２２同士がほぼ接するかわずかな隙間をもって取り付けられる。
【００４３】
そして、各ブロック玩具１０、１１の回転部３０では、一方の突出部３２が、他方の歯合空間３７に侵入する。これにより、一方のブロック玩具１０、１１が回転すると、他方のブロック玩具１１、１０も回転する。
なお、図１０に示すように、ベースプレート１０１に取り付けられているブロック玩具１０、１１に対して、ベースプレート１０１に直交する方向へブロック玩具１０、１１を配置して、両ブロック玩具１０、１１を歯合させることもできる。この場合には、ベースプレート１０１と直交し、かつ凸部１０４を有する部材、例えば図１に示す壁部材１０５のような部材が必要となる。
【００４４】
図１に示すように、ベースプレート１０１の上に複数のブロック玩具１０、１１を歯合するように配置し、風車１０２や観覧車１０３に設けられているブロック玩具１０、１１を歯合させて遊園地１００を組み立てる。そして、ハンドル１０６を回すと、各ブロック玩具１０、１１の回転部３０が回転して、風車１０２や観覧車１０３を回転させることができる。
【００４５】
以上、説明した本実施形態に係るブロック玩具１０では、台座部２０に回転可能に支持されている回転部３０の台座部２０に対向する対向面３４の少なくとも一部が台座部２０に対して離間するようにした。
このため、回転部３０が回転する際に、台座部２０との間に摩擦力が生じないので、操作力が軽く、作動不良が生じ難くいブロック玩具を提供することができる。
【００４６】
また、本実施形態に係るブロック玩具１０では、回転中心線ＣＬに沿って突出するように台座部２０に設けられている軸部２４に、回転部３０の筒部３３（係合部３３）を入れ子状に係合させることにより、回転部３０を台座部２０に回転可能に取り付ける。このとき、筒部３３（係合部３３）の下端面３３２が台座部２０に接触するようにした。
このため、回転部３０の筒部３３（係合部３３）以外の箇所を、台座部２０から離間させることができる。
【００４７】
また、本実施形態に係るブロック玩具１０では、回転部３０は、回転中心線ＣＬ側の基端部３４１よりも回転中心線ＣＬ側とは反対側の先端部３４２が台座部２０に対して離間している。
このため、回転部３０が回転する際に、台座部２０との間に摩擦力が生じないので、操作力が軽く、作動不良が生じ難くいブロック玩具を提供することができる。
【００４８】
また、本実施形態に係るブロック玩具１０では、回転部３０は、基端部３４１から先端部３４２に向かって（突出部３２の先端部近傍から先端部に向かって）、台座部２０に対して傾斜して離間するようにした。
このため、回転部３０が回転する際に、台座部２０との間に摩擦力が生じないので、操作力が軽く、作動不良が生じ難くいブロック玩具を提供することができる。
【００４９】
また、本実施形態に係るブロック玩具１０では、回転部３０は、台座部２０に対して時計回り及び反時計回りに回転できる。
【００５０】
また、本実施形態に係るブロック玩具１０では、回転部３０は、対向面３４の少なくとも一部が台座部２０に対して離間した状態を維持したまま回転可能である。また、筒部３３（係合部３３）が隙間Ｓや段部３３１とねじ２５との微小な隙間を動くことで、台座部２０に対して離間方向に揺動可能であるので、例えば、幼児のようにブロック玩具を厳密に配置させることが困難な者でも、搖動可能な範囲内で回転部３０を回転させブロック玩具１０による遊戯を楽しむことが可能となる。
【００５１】
また、本実施形態に係るブロック玩具１０では、回転部３０には、台座部２０に対する対向面３４の少なくとも一部に開口が形成されている。
このため、回転部３０の軽量化及び低コスト化を図るとともに、台座部２０との摩擦面を減らして摺動抵抗を小さくすることができる。
【００５２】
また、本実施形態に係るブロック玩具１０では、回転部３０は、本体部３１における本体部開口縁３１２が、台座部２０に接触可能であるので、回転部３０を回転可能に支持することができる。
また、突出部３２における突出部開口縁３２２は、台座部２０から離間しているので、回転時の摺動抵抗を減少することができる。
【００５３】
また、本実施形態に係るブロック玩具１０では、回転部３０は、台座部２０における平面視の内接円Ｒに対して、本体部３１の外縁部３１１が内側に位置（台座部２０上に位置）し、突出部３２の先端部３２１が外側に位置（台座部２０上の外に位置）し得る。
このため、隣接してブロック玩具１０を取り付けた際に、回転部３０同士を歯合させることができる。
【００５４】
また、本実施形態に係るブロック玩具１０では、突出部３２は、台座部２０とは反対側の上面３２４において、本体部３１側の基端部３２５から本体部３１側とは反対側の先端部３２６に向かって（突出部３２の先端部近傍から先端部に向かって）台座部２０に対して傾斜している。
このため、ブロック玩具１０上に他のブロック玩具を積層して接続する際に、摩擦を低減して円滑に歯合することができる。
【００５５】
また、本実施形態に係るブロック玩具１０では、台座部２０は、回転部３０とは反対側に設けられた係合凹部２３を有し、係合凹部２３は、他のブロック玩具１０に設けられた係合凸部３６と係合可能である。
このため、ブロック玩具１０や係合凸部３６に対応する係合凸部を有するその他の形状のブロック玩具を上下方向に積層して接続することができる。
【００５６】
また、本実施形態に係るブロック玩具１１では、回転部３０は、台座部２０とは反対側に、他のブロック玩具１０，１１に設けられた係合凹部２３と係合可能な係合凸部３６を設けた。
このため、ブロック玩具１０、１１や係合凹部２３に対応する係合凹部を有するその他の形状のブロック玩具を積層して接続することができる。
【００５７】
また、本実施形態に係るブロック玩具１０、１１では、係合凹部２３と係合凸部３６は、互いに対応する形状及び寸法である。
このため、ブロック玩具１０、１１を積層して接続することができる。
【００５８】
また、本実施形態に係るブロック玩具１０では、回転部３０には、台座部２０とは反対側にマーク３５が設けられている。
このため、回転部３０が回転している状態を容易に視認することができる。
【００５９】
本発明のブロック玩具１０は、前述した実施形態に限定されるものでなく、適宜な変形，改良等が可能である。
【符号の説明】
【００６０】
１０、１１  ブロック玩具
２０  台座部
２３  係合凹部
２４  軸部
２６  境界面
３０  回転部
３１  本体部
３１１  外縁部
３１２  本体部開口縁（本体部における開口縁）
３２  突出部
３２１  先端部
３２２  突出部開口縁（突出部における開口縁）
３２５  基端部
３２６  先端部
３３  筒部（係合部）
３３２  下端面（先端面）
３４  対向面
３５  マーク
３６  係合凸部
ＣＬ  回転中心線（回転中心）
Ｐ  交点
Ｒ  内接円